(57)【要約】【課題】  パワー効率を向上させ及び／又は表示寿命を延ばすように調整可能なＯＬＥＤ表示システムを提供すること。【解決手段】  各画素が、色域を特定する発光色の異なる複数のＯＬＥＤと、該色域内の色で発光する１以上の追加のＯＬＥＤとを有し、該追加のＯＬＥＤのパワー効率が該複数のＯＬＥＤの少なくとも１つのパワー効率より高い表示装置；該追加のＯＬＥＤにより付与される当該光出力への寄与量を示す制御信号を発生する手段；並びに該各画素について得るべき相対輝度及び色を代表する標準色画像信号を受信して該ＯＬＥＤを駆動するための変換色画像信号を発信するための、該制御信号に応じ、該表示装置のパワー効率を高めること及び／又は該表示装置の劣化速度を低めることができるように該追加のＯＬＥＤにより得られる光量を制御するための表示ドライバ、を含むＯＬＥＤ表示システム。【選択図】      図３
2004280108.tif 000002
【特許請求の範囲】
【請求項１】
ａ）アレイ状発光画素を含む表示装置であって、各画素が、色域を特定する色の異なる光を放出するための複数のＯＬＥＤと、該色域内の色の光を放出するための少なくとも１つの追加のＯＬＥＤとを有し、該追加のＯＬＥＤのパワー効率が該複数のＯＬＥＤの少なくとも１つのパワー効率より高い表示装置；
ｂ）該追加のＯＬＥＤにより付与される該表示装置の光出力に対する寄与量を示す制御信号を発生するための手段；並びに
ｃ）該表示装置の各画素について得るべき相対輝度及び色を代表する標準色画像信号を受信して該表示装置のＯＬＥＤを駆動するための変換色画像信号を発信するための表示ドライバであって、該制御信号に応じ、該表示装置のパワー効率を高めること及び／又は該表示装置の劣化速度を低めることができるように該追加のＯＬＥＤにより得られる光量を制御するための表示ドライバ
を含んでなるＯＬＥＤ表示システム。
【発明の詳細な説明】
【技術分野】
【０００１】
本発明は、有機発光ダイオード（ＯＬＥＤ）系フルカラー型表示装置に関し、より詳細には、パワー効率を向上させ、或いは表示寿命を長くした、ＯＬＥＤカラー表示装置に関する。
【背景技術】
【０００２】
カラーデジタル画像表示装置は周知であり、陰極線管、液晶及び、有機発光ダイオード（ＯＬＥＤ）のような固体発光素子といった様々な技術に基づくものがある。通常のＯＬＥＤカラー表示装置の画素には、赤色、緑色及び青色のＯＬＥＤが含まれている。これら３種のＯＬＥＤの各々の発光を加法混色系として組み合わせることにより、多種多様な色を実現することができる。
【０００３】
ＯＬＥＤを利用することにより、電磁スペクトルの所望の部分でエネルギーを放出するようにドープされた有機材料を使用して直接発色させることができる。しかしながら、既知の赤色及び青色発光材料は、パワー効率が特別高いわけではない。実際、広帯域幅発光材料の一面にカラーフィルターを配置することによりパワー効率が同等なＯＬＥＤ表示装置を製造するための、狭帯域幅材料と比べて十分に高いパワー効率を有する広帯域幅（白色に見える）材料が知られている。したがって、当該技術分野では、白色発光性ＯＬＥＤを配列させた表示装置を構築し、該ＯＬＥＤの上にカラーフィルターを配置して画素毎に赤色、緑色及び青色の発光要素を達成することによってＯＬＥＤ表示装置を製造することが知られている。
【０００４】
パワー効率は高いことが常に望まれるが、とりわけ、携帯用途では、表示装置が非効率であると当該電源を再充電するまでの装置の可使時間が限られるため、パワー効率の高さが特に望まれる。実際、用途によっては、可視性を除く他のいずれの表示特性よりも電力消費率が重要となる場合もある。このため、特定の状況下では、末端ユーザーが、表示装置の輝度を下げるなど、高周囲照明条件下で表示装置の可視性を低下させてしまうかもしれない犠牲を払って、表示装置の電力消費量の削減を希望する場合もある。
【０００５】
携帯用途の場合、周囲照明の明るい場所で表示装置を使用しなければならないこともある。当該技術分野では、発光型表示装置は、周囲照明の明るい条件下では周囲照明の暗い条件下よりも輝度レベルを高くできなければならないことが知られている。また、このように輝度レベルを高くした場合に、観察者の適当な輝度範囲に近い輝度範囲にあると同時に、十分な輝度コントラストを提供することが必要であることも知られている。R. Merrifiel及びL.D. Silversteinの「The ABC's of Automatic Brightness Control」（SID 88 Digest, 1988, pp. 178-180）を参照されたい。このため、周囲照明条件の変化に応じて表示装置の輝度を変えるための制御手段をユーザーに提供することが知られている。また、表示装置の輝度を自動調整することも知られている。例えば、１９７４年５月２８日発行のMierzwinskiの米国特許第３８１３６８６号明細書に、高周囲光観察条件下において一層魅力的で有用な画像を提供するためルミナンス信号及びクロミナンス信号を自動的に増大させる陰極線管用の制御回路が記載されている。
【０００６】
携帯用途では、このような自動回路により、低周囲照明条件下では表示装置の輝度を低下させて電力消費量を削減し、かつ、高周囲照明条件下では表示装置の輝度を高くして可視性を向上させることができる。このような周囲照明の変化に応じて表示装置の輝度を調整する基本法については多くの増進が議論されている。例えば、２００２年６月２５日発行のMillerらの米国特許第６４１１３０６号明細書に、表示装置の輝度及びコントラストを人間の順応性と調和させるように変更する携帯デバイスのための調整法、すなわち、表示装置が低周囲照度環境から高周囲照度環境へ移るときには表示装置の輝度を迅速かつ漸進的に調整するが、表示装置が高周囲照度環境から低周囲照度環境へ移るときには表示装置の輝度調整を比較的ゆっくりと行う方法、が記載されている。しかしながら、表示装置の輝度を調整するために使用されている従来法では、いずれも表示装置の輝度増強に比例して所要電力が増大する。
【０００７】
典型的な従来型ＯＬＥＤ表示装置では、ＯＬＥＤへ送られる電流密度が増加するにつれ、赤色、緑色及び青色のＯＬＥＤの輝度が高くなることが知られている。従来技術として知られているように、電流密度から輝度への伝達関数は、図１に示したように一次関数に従い挙動するのが典型例である。図１に、代表的な赤色２、緑色４及び青色６の各ＯＬＥＤについて電流密度対輝度の伝達関数を示す。したがって、表示装置の輝度を高めるためには、一定面積のＯＬＥＤに送り込む電流を増大しなければならない。また、表示装置の色バランスを維持するためには、赤色：緑色：青色の所望の輝度比が維持されるように、３種のＯＬＥＤについて個別に電流を調整しなければならない。
【０００８】
残念ながら、ＯＬＥＤを駆動するために使用される電流密度を高めると、ＯＬＥＤの駆動に要する電力を増大させるだけでなく、ＯＬＥＤの寿命を縮めてしまうことにもなる。図２に、ＯＬＥＤの駆動に使用される電流密度の関数として、ＯＬＥＤの輝度が半減するのに要する時間をプロットした、典型的な関数を示す。これらの関数は、電流密度を関数とするＯＬＥＤの経時輝度安定性を示している。図２は、代表的な赤色８、緑色１０及び青色１２の各ＯＬＥＤの経時輝度安定性を示すものである。したがって、ＯＬＥＤ表示装置の輝度を高めると、ＯＬＥＤの駆動に要する電力を増大させるだけでなく、ＯＬＥＤ表示装置の寿命を著しく縮めてしまうことになりかねない。
【０００９】
【特許文献１】米国特許第６４８３２４５号明細書
【特許文献２】米国特許第６４１１３０６号明細書
【特許文献３】米国特許第３８１３６８６号明細書
【特許文献４】米国特許出願公開第２００２／０１８６２１４号明細書
【発明の開示】
【発明が解決しようとする課題】
【００１０】
したがって、表示装置の画質を犠牲にするかもしれないとしても、ユーザーによって、パワー効率を向上させ及び／又は表示寿命を延ばすように表示装置の挙動を調整できることが必要である。さらに、表示装置の輝度を高めに調整したときにパワー効率及び寿命が改良されたフルカラーＯＬＥＤ表示装置に対するニーズもある。
【課題を解決するための手段】
【００１１】
本発明によると、アレイ状発光画素を有する表示装置であって各画素が色域を特定する色の異なる光を放出するための複数のＯＬＥＤと、該色域内の色の光を放出するための１又は２以上の追加のＯＬＥＤとを有し、該追加のＯＬＥＤのパワー効率が該複数のＯＬＥＤの少なくとも１つのパワー効率より高い表示装置；該追加のＯＬＥＤにより付与される該表示装置の光出力に対する寄与量を示す制御信号を発生するための手段；並びに該表示装置の各画素について得るべき相対輝度及び色を代表する標準色画像信号を受信して該表示装置のＯＬＥＤを駆動するための変換色画像信号を発信するための表示ドライバであって、該制御信号に応じ、該表示装置のパワー効率を高めること及び／又は該表示装置の劣化速度を低めることができるように該追加のＯＬＥＤにより得られる光量を制御するための表示ドライバ、を含むＯＬＥＤ表示システムが提供されることにより、上述のニーズが満たされる。
【発明の効果】
【００１２】
本発明の有利な効果は、表示装置の飽和度とパワー効率との間の折合いをとることができるカラー表示装置が得られることである。このトレードオフは、絶対基準で行うことも、また表示装置の輝度の関数として行うことも可能である。
【発明を実施するための最良の形態】
【００１３】
本発明は、ＯＬＥＤ表示装置と、該ＯＬＥＤ表示装置を駆動するための手段と、該駆動手段を制御信号に応じて変化させるための手段とを含む表示システムに関する。より具体的には、本発明は、３種以上のＯＬＥＤを有し、表示装置の色域を画定する３以上の原色を提供するに際し該表示装置の色域内部にある色を有する１又は２以上の追加のＯＬＥＤを含み、そして該表示装置の色域を記述するＯＬＥＤよりパワー効率及び／又は経時輝度安定性が高くなる、そのようなフルカラー表示装置を含む表示システムに関する。本発明では、当該表示装置に組み合わされている信号処理機が、標準３色画像信号を駆動信号に変換し、それが制御信号に依存する方式でＯＬＥＤを駆動する。
【００１４】
当該変換は、電力使用量が最少となるように行われ、その際、制御信号の中には飽和度が何ら損なわれない場合もある。ここで、「飽和度」とは色飽和度（すなわち、当該表示装置から得られる色の純度）を意味する。しかしながら、制御信号の中には、表示装置上に示される色の飽和度が、当該表示装置のパワー効率を高めるように及び／又は当該表示装置の劣化速度を低めるように、減少する場合もある。
【００１５】
制御信号は、典型的には、ユーザー設定、表示システムの状態及び／又は周囲照明の測定値に左右されることになる。この制御信号は、好ましくは、相互作用ユーザーコントロール、検出信号及び／又は周囲照明自動検出手段から発信されることになる。周囲照明を検出した時、表示システムが表示装置の輝度をさらに調整することにより適当な周囲照明条件下での表示可視性を維持することができる。当該変換をユーザー設定に依存させることにより、ユーザーは、パワー効率と色飽和度の間の折合いをとることができる。この変換は、さらに表示装置の輝度に依存させることもできる。当該変換を表示装置の目標輝度値を誘導するのに使用される制御信号に依存させることにより、該変換は、広範囲にわたる輝度値について完全又はほぼ完全に飽和した色を提供することができる。しかしながら、表示システムは、当該変換を、他の輝度値についてパワー効率及び／又は経時輝度安定性の一層高いＯＬＥＤの高度利用を提供するように変更することができる。これを実行することにより、より飽和度の低い色を提供することにより、過剰な電力を要求し得る又は表示装置の許容できない劣化を引き起こし得る状態を回避することができる。
【００１６】
本発明は、４色ＯＬＥＤ表示装置を採用する表示システムについて開示するが、この同じ技法は、３種以上の発光要素を有し、表示装置の色域を画定する３以上の原色を提供するに際し該表示装置の色域内部にある色を有する１又は２以上の追加の発光要素を含み、そして該表示装置の色域を記述する１又は２以上の発光要素よりパワー効率及び／又は経時輝度安定性が高くなるものであれば、どのようなフルカラー発光表示装置にも適用できることを認識されたい。
【００１７】
本発明の一態様を図３及び図４に示す。図３には、入力装置２０、処理装置２２、メモリ２４、表示ドライバ２６及び表示装置２８を含むシステムが示されている。入力装置２０は、ジョイスティック、トラックボール、マウス、回転式ダイアル、スイッチ、ボタン又は一連のユーザーオプションから２以上のオプションの中から選ぶのに使用できるグラフィックユーザーインターフェースをはじめとする慣例のいずれの入力装置であってもよい。処理装置２２は、本発明の工程を実行するのに必要な論理・計算工程を実行することができるものであれば、いずれのデジタル式もしくはアナログ式の汎用もしくは特注の処理装置であっても、又はその組合せであってもよい。メモリ２４は、理想的には、ＥＰＲＯＭＳ、ＥＥＰＲＯＭＳ、メモリカード又は磁気もしくは光ディスクをはじめとするユーザー選択を保存するのに使用できる不揮発性の書込み可能なメモリである。
【００１８】
表示ドライバ２６は、標準３色画像信号を受信し、この信号を、本発明の表示装置に適合する４色以上の画像信号を含む駆動信号に変換することができる、１又は２以上のアナログ又はデジタルの信号処理装置である。この表示ドライバは、さらに、処理装置から制御信号を受信し、その制御信号に応じて当該変換処理を調整することができる。
【００１９】
表示装置２８は、アレイ状画素を有するＯＬＥＤ表示装置であって、各画素が、該表示装置の色域を画定する３以上の原色を提供するためのＯＬＥＤを有し、かつ、該表示装置の色域内部にある色を放出する１又は２以上の追加のＯＬＥＤを含み、さらに該表示装置の色域を記述するＯＬＥＤよりパワー効率が高くなる、ＯＬＥＤ表示装置である。適当なＯＬＥＤ表示装置が、同時係属米国特許出願第１０／３２０１９５号（出願日２００２年１２月１６日；発明者Millerら）に記載されており、その開示内容を本明細書の一部とする。好適な画素配置を有する表示装置を図４に示す。
【００２０】
図４に、いくつかの画素４２からなる表示装置２８を示す。この表示装置２８の各画素４２は４種のＯＬＥＤから構成されている。赤色４４、緑色４６及び青色４８の光を放出する３種のＯＬＥＤが当該表示装置の色域を画定する。追加のＯＬＥＤ５０は、実質的に白色の光を放出し、かつ、赤色４４、緑色４６及び青色４８の各ＯＬＥＤの色度座標で画定される色域の内部にある色度座標を有する。図５は、赤色、緑色及び青色（Ｒ，Ｇ，Ｂ）の各ＯＬＥＤの色度座標で形成される色域５２、並びに該色域５２の内部にある白色（Ｗ）ＯＬＥＤの色度座標を示す標準ＣＩＥ色度図である。
【００２１】
図６に本発明の実施に使用することができる方法を示す。ユーザーには、表示装置の各種設定の中から選ぶべき選択肢が与えられ（６０）、パワー効率と色飽和度との間の折合いをとることが可能となる。これを実行するため、図７に示したように、可能な選択肢のメニューをユーザーに表示することができる。選択肢には、例えば、色を完全に飽和させることができる「最高彩度」５４又は、画像の色飽和度を犠牲にして白色ＯＬＥＤの最大利用を可能にする最高パワー効率５６、を含めることができる。別態様として、ユーザーが飽和度と電力使用量との間のトレードオフのレベルを連続的に選択することができるように、グラフィックユーザーインターフェースに「スライダ」を設けてもよい。このユーザーインターフェースにより、ユーザーは、飽和度とパワー効率の様々な組合せを含む選択肢の中から選択する（６２）ことができる。ユーザーが好適な設定を選択する（６２）と、処理装置２２がそのユーザーの選択をメモリ２４に保存し（６４）、将来の参照とする。その後、処理装置２２は、１又は２以上の追加のＯＬＥＤから必要とされる輝度の、当該表示装置の３種以上のＯＬＥＤから必要とされる輝度に対する適切な比率を決定する（６６）。この態様では、メモリ２４からルックアップテーブルを参照することにより、ユーザーの選択のための減法定数（Ｆ１）及び加法定数（Ｆ２）を決定する（６６）。次いで、処理装置２２は、これらの値を使用して、標準３色画像信号から当該ＯＬＥＤを駆動する駆動信号への変換を実行する（６８）。
【００２２】
３色信号を当該表示装置を駆動するのに適した４色信号へ変換するには様々な方法が使用できるが、好適な態様として、標準３色画像信号から当該表示装置を駆動するのに適した４色信号への変換を実行する方法の一例を図８に示す。この方法を採用する場合、加法定数（Ｆ２）を、減法定数（Ｆ１）と同等の又はこれより高い値に制限することが典型的である。このようにして、赤色、緑色及び青色の各ＯＬＥＤから取り出される輝度が、色域内のよりパワー効率の高いＯＬＥＤによって交換される。減法定数の値が高いほど、当該表示装置の平均パワー効率は高く（すなわち、電力使用量は少なく）なる。しかしながら、減法定数（Ｆ１）を最大値１．０に制限すると同時に、加法定数を１．０より大きくすることができる。この方法を使用すると、加法定数が減法定数より大きいときには常に、色飽和度の低下が起こることになる。また、加法定数が減法定数より大きいときには常に、表示装置の輝度出力が増大することになるので、有効ピーク輝度は、当該表示装置の所望ピーク輝度に、加法定数の減法定数に対する比率を乗じた値に等しくなることにも留意すべきである。
【００２３】
図８に示した方法を使用して、所望のピーク輝度及び当該表示白色点の色度座標を決定する（８０）。次いで、各ＯＬＥＤについてＣＩＥ色度座標を決定する（８２）。これらの値を使用して、下記方程式に従い、赤色４４、緑色４６及び青色４８のＯＬＥＤについてピーク輝度を計算する（８４）。
【００２４】
【数１】
2004280108.tif 000003
【００２５】
上式中、Ｙｗは所望のピーク輝度（すなわち、当該表示装置をオンにしてその最大値にしたときの完成表示装置の輝度）を表し、ｘｗ及びｙｗは所望の表示白色点の色度座標を表し、Ｙｒ、Ｙｇ及びＹｂは、当該表示装置が所望の白色輝度を発生させるのに必要なピーク輝度値を表し、ｘｒ、ｘｇ及びｘｂは、当該表示装置における赤色、緑色及び青色の各ＯＬＥＤのそれぞれのｘ色度座標を表し、そしてｙｒ、ｙｇ及びｙｂは、当該表示装置における赤色、緑色及び青色の各ＯＬＥＤのそれぞれのｙ色度座標を表す。
【００２６】
赤色、緑色及び青色の表示装置輝度について所望のピーク輝度及び上記データを使用することにより、３×３マトリックスを計算する（８６）。この３×３マトリックスは、一般に表示装置の「燐光体マトリックス(phosphor matrix)」と呼ばれ、ＣＩＥのＸＹＺ３刺激値を赤色、緑色及び青色の強度値に変換するのに使用することができる。本明細書では、ある原色の強度を、その原色の輝度に比例する値として定義し、３原色の各原色の単位強度を組み合わせると当該表示白色点のものと同等なＸＹＺ３刺激値を有する色刺激が得られるように比例按分する。次いで、標準３色画像信号を入力し（８８）、そして必要に応じて目標のＣＩＥのＸＹＺ３刺激値へ変換する（９０）。例えば、当該入力がｓＲＧＢである場合、ルックアップテーブルを適用することにより非線形コード化を取り出し、次いで３×３マトリックスを適用することによりＸＹＺ３刺激値を計算する。次いで、先に計算（８６）した３×３マトリックスを使用してＣＩＥのＸＹＺ３刺激値に関連する３原色から表示装置の赤色、緑色及び青色の強度値へ回転させることにより、赤色、緑色及び青色の強度値を計算する（９２）。これらの強度値を当該表示の白色点から白色ＯＬＥＤのピーク輝度へ再正規化し（９４）、そしてその共通強度、すなわち３種の最小値を決定する（９６）。次いで、図８の工程６６に記載したように、減法定数（Ｆ１）及び加法定数（Ｆ２）を選択する（９８）。
【００２７】
減法定数（Ｆ１）に共通強度を掛け算し、これを先に決定（９６）した赤色、緑色及び青色の各強度値から引き算する（１００）。次いで、加法定数（Ｆ２）に共通強度を掛け算し、これを白色ＯＬＥＤの強度に足し合わせ（１０２）、これを０として開始する。赤色、緑色及び青色の各ＯＬＥＤの強度値を表示白色点に対して再正規化し（１０４）、そして白色ＯＬＥＤの強度値と組み合わせる（１０６）。次いで、赤色、緑色、青色及び白色のＯＬＥＤの強度から、各強度を得るのに必要なコード値へ変換するためのルックアップテーブルを決定する（１０８）。次いで、このルックアップテーブルを適用して、各ＯＬＥＤをその所望の強度で駆動するために必要なコード値を決定する（１１０）。
【００２８】
また、この変換方法を、電力削減だけでなく、表示寿命の維持を助長するようにさらに改変できることにも留意すべきである。図２に示したように、ＯＬＥＤ輝度安定性は、ＯＬＥＤの初期輝度が半減するのに要する時間として定義した場合、駆動電流に対する依存性が高い。したがって、当該表示装置が最短でも、例えば５００時間は性能を発揮しなければならないとすると、図２のようなグラフを利用して、その基準を満たすようにＯＬＥＤを駆動させることができる最大電流密度を決定することができる。この基準を採用すると、青色発光ＯＬＥＤは２０ｍＡ／ｃｍ２の電流密度においてしか駆動させることができないが、緑色発光ＯＬＥＤと赤色発光ＯＬＥＤはそれぞれ約３５及び８０ｍＡ／ｃｍ２の電流密度において駆動してもよいことがわかる。白色発光材料は、この基準を採用して非常によく性能を発揮することが知られており、この基準を採用して８０ｍＡ／ｃｍ２において、又はこれをはるかに越えても、駆動することができる。この値と、表示装置の電流密度と輝度との数学的関係とを使用し、適当なＯＬＥＤの最大電流密度を越えない任意の発光色のＯＬＥＤについて実現できる最大輝度を決定することができる。したがって、工程１０６の後に、当該最大強度をこの最大値より高いすべての値から引き算し、その残部を白色発光ＯＬＥＤに付加する工程を挿入することができる。このようにして、当該１色について色飽和度を下げることができる。この変換は、減法定数及び加法定数の増加とは異なることに留意されたい。減法定数より大きな加法定数を使用するとすべての色の飽和度を下げることになるが、ここで議論した変換は、原色画素によって得られる輝度より高い輝度を生ぜしめる必要のある色だけの飽和度しか低下させないからである。白色発光ＯＬＥＤから必要とされる輝度が最大値に達することもあり得、その場合、当該輝度を同様の方法を使用して発色ＯＬＥＤに再分配できることに留意すべきである。
【００２９】
提供されるシステムの内部に本明細書に記載したもののような変換方法を提供することにより、ユーザーは、表示装置の減法定数（Ｆ１）及び加法定数（Ｆ２）を相互作用的に調整することができる。この性能により、当該表示装置が発生する輝度量をパワー効率の低いＯＬＥＤからパワー効率の高いＯＬＥＤの方へ配分することにより、表示の明るさを一定にしたまま当該表示装置の電力使用量をユーザーが変更できるようになり、効果的である。加法定数を減法定数より高い値に設定したときのユーザーが受ける不利益は、色飽和度の損失である。したがって、このシステムにより、ユーザーはパワー効率と色飽和度との間の折合いをとることができる。
【００３０】
この態様においては、パワー効率の色飽和度に対するトレードオフがユーザーによって意図的に行われていることに留意すべきである。しかしながら、同じトレードオフが他の結果によって開始されてもよい。例えば、ユーザーインターフェースが、表示装置のための明るさ制御のような制御を提供することができる。また、当該システムが、１つの輝度値範囲について一組の減法及び加法定数を適用し、そして第２の輝度値範囲については第２の組の減法及び加法定数を適用することを決定してもよい。別態様として、システムは、電池のパワーレベルを検出し、当該利用可能な電池パワーレベルが一定の閾値に達したときに当該表示装置の電力消費量が減少するように減法定数及び加法定数を増加させることもできる。さらに、同じトレードオフを、当該システムがユーザーの関心又は応答の欠如を検出したときに行うこともできる。例えば、ユーザーの相互作用がなく一定の時間が経過したときに、システムが、減法定数及び加法定数を増加させることにより節電モードへの移行を開始することもできる。この例では、減法定数及び加法定数を増加させることにより、顕著に、当該表示装置の電力消費量を削減し、当該システムの状態が変更されたことを可視表示し、そして当該表示装置がその電力使用量及び輝度を増加させることを待たずにユーザーが表示装置を見て相互作用することが可能となる。
【００３１】
別の態様において、減法定数及び加法定数を、より連続的な方法で調整することができる。特におもしろい態様は、周囲照明を決定するために自動化法を採用し、応答における表示の明るさを調整し、そして当該変更がユーザーに容易にはわからないよう十分に遅い速度で見かけの飽和度を低下させるように表示輝度に応じて減法定数及び加法定数を調整すると同時に、高表示輝度条件下で表示装置の寿命を改良し及び／又は表示装置のパワー効率を改良する、そのような表示システムである。このようなシステムを図９に示す。
【００３２】
上述の態様において説明したように、この表示システムは処理装置２２、メモリ２４、表示ドライバ２６及び表示装置２８を含む。このシステムはユーザー入力装置２０をさらに含み、これを使用して後述するように表示の明るさについて利得値を調整する。さらに、当該システムは、表示装置に又はその付近に降り注ぐ環境に含まれる周囲照度量を測定するために使用されるフォトダイオードその他のセンサのような周囲照明センサ１１２を含むことができる。後述するように、当該システムは、任意の温度センサ１１４又は電流センサ１１６のような他のセンサを含むこともできる。温度センサ１１４は、表示装置の背面に配置されることができ、そして当該表示装置の温度を測定するのに使用される。電流センサ１１６は、当該表示装置によって消費されている電流を測定するのに使用することができる。
【００３３】
本システムの内部の減法定数及び加法定数を調整するのに使用される方法を図１０に示す。図１０に示したように、パワーアップ時に、目標コントラスト、利得値及び追加のパラメータを得る（１１８）。次いで、周囲照明センサ１１２を使用して初期周囲照度を測定する（１２０）。次いで、現在の周囲照明レベルについて適応輝度を計算する（１２２）。この計算を使用して、ユーザーの順応状態が与えられれば、当該表示装置の観察に必要な最小明度が決定される。この計算は下記方程式を使用して実行される。
【００３４】
【数２】
2004280108.tif 000004
【００３５】
上式中、Ｌａは適応輝度であり、Ｉは周囲照度値であり、そしてａ及びｂは心理物理学的データに適合される定数である。
【００３６】
適応輝度が計算されると（１２２）、目標表示コントラストを得るのに必要な輝度が計算される（１２４）。この計算は、周囲照度が表示装置で反射され、その背景及び前景の輝度に影響を及ぼす事実を補償するように実行される。この値は下記方程式から計算される。
【００３７】
【数３】
2004280108.tif 000005
【００３８】
上式中、Ｌｃは所望のコントラストを達成するのに必要な輝度を表し、ｃは白色輝度の黒色輝度に対する所望のコントラスト比（３より高い値であることが典型的である）を表し、Ｌｂは最小放出表示輝度（ＯＬＥＤ表示装置の場合０であることが典型的である）を表し、Ｉは周囲照度であり、Ｒは表示装置の反射率であり、そしてπは定数パイである。
【００３９】
適応輝度の最大値、目標表示コントラストを得るのに必要な輝度、及び先に得られた（１１８）パラメータセットに存在し得るすべての最小輝度制限値を考慮することにより初期目標輝度を決定する（１２６）。次いで、０．５〜２．０の範囲内にあることが典型的である利得値を使用して、乗法により、初期目標輝度値を調整する（１２８）。
【００４０】
周囲照明センサ１１２から周囲照度測定値を得て、ユーザー入力装置２０の状態のすべての変化から利得値のすべての変化を測定することにより、新規の周囲照度及び利得値を得る（１３０）。これら新規の値を初期値と比較する（１３２）。変化が一切ない場合には、周囲照度及び利得の新規の読取り値を得（１３０）、再度比較を行う（１３２）。周囲照度又は利得に変化がある場合には、その新規周囲照度値と、初期適応輝度の計算（１２２）に使用した同じ方程式とを使用して、適応輝度を計算する（１３４）。必要なコントラストを得るのに必要な新規輝度を、工程１２４について説明した同じ方程式を使用して計算する（１３６）。工程１２６について説明した同じ方程式を使用して、新規の目標輝度を決定する（１３８）。最後に、この値を、工程１２８について説明した新規の利得値によって調整する（１４０）。
【００４１】
次いで、工程１４２を実行して、目標輝度が増加したか減少したかを決定する。目標輝度が減少した場合には暗順応に適した時定数を選定し（１４４）、そうでない場合には明順応に適した時定数を選定する（１４６）。人間の明順応は暗順応よりはるかに迅速に起こるので、明順応の時定数は暗順応の場合より高くなることが典型的であることに留意すべきである。
【００４２】
次いで、新規の輝度を計算し（１４８）、これを新規の初期輝度として保存する。この計算１４８は、下記方程式を使用して、現在の輝度に対する輝度変化量の比率を付加することによって実行される。
【００４３】
【数４】
2004280108.tif 000006
【００４４】
上式中、Ｌは新規輝度であり、Ｌｉは初期輝度であり、Ｌａは先に計算（１４０）された調整済目標輝度であり、そしてｔは上記工程１４４又は１４６で選定された時定数である。
【００４５】
次いで、表示輝度値の関数として減法定数及び加法定数を決定するための公式、すなわちルックアップテーブルを得る（１５０）。先に計算（１４８）された新規表示輝度及び得られた（１５０）公式、すなわちルックアップテーブルを使用して、新規の減法定数及び加法定数を決定し（１５２）、そして図７に示した変換方法において適用する（１５４）。
【００４６】
この方法を使用することにより、表示装置の輝度が観察環境に適応するにつれて徐々に減法定数及び加法定数を変化させることができる。周囲照明が劇的に変化することは稀であり、また表示装置の明度が変化する速度を採用された時定数により遅くしているので、この方法を使用して、減法定数及び加法定数の個々の変化が大きくなる可能性は低い。したがって、表示装置が、特に周囲照度が非常に低い環境と非常に高い環境との間で移動した場合に、飽和度を増加又は減少するが、ユーザーがその変化を知覚することはまずない。しかしながら、一般に減法定数及び加法定数は表示輝度の増加と共に増加するので、当該表示装置を構成するＯＬＥＤのパワー効率及び寿命が改良される。
【００４７】
減法定数及び加法定数の同様の連続変化を、他のいずれの連続制御信号の関数としても採用できることに留意すべきである。これらには、携帯装置の電源における利用可能なパワー、手動式で決定される表示輝度値、任意の電流センサ１１６を使用して検出される表示装置の駆動に必要な総電流量、又は表示装置の内部又は付近に配置された温度センサ１１８から決定される表示装置の温度が含まれ得るが、これらに限定はされない。
【００４８】
本明細書に記載した具体的態様は、当該表示装置の色域境界を画定する３種のＯＬＥＤと、当該表示装置の該色域の内部にある色座標を有するがパワー効率及び寿命が向上している１つの追加のＯＬＥＤとを有する表示装置について特に説明されているが、これらの同じ概念を、該色域を画定する４種以上のＯＬＥＤを有する同様の表示装置において使用できることに留意すべきである。さらに、これらの同じ概念を、２以上の追加のＯＬＥＤを有するパワー効率の一層高い表示装置に適用することもできる。しかしながら、後者の場合、表示装置の色域内部にある色の異なる各ＯＬＥＤについて別の組合せの減法定数と加法定数が存在する場合がある。これら減法定数と加法定数の組合せの各々は、これらの好適な態様において説明したように同一又は異なる値が割り当てられることがある。
【図面の簡単な説明】
【００４９】
【図１】典型的ＯＬＥＤの電流密度と輝度の関係を示すグラフである。
【図２】典型的ＯＬＥＤの電流密度と経時輝度安定性の関係を示すグラフである。
【図３】本発明の一態様による表示システムの部品を示す略図である。
【図４】本発明の一態様による表示装置での一連のＯＬＥＤのレイアウトを示す略図である。
【図５】赤色、緑色及び青色の各ＯＬＥＤで形成される色度座標の色域と、該色域内の白色ＯＬＥＤの色度座標とを示すＣＩＥ色度図である。
【図６】適当な減法定数及び加法定数を決めるため当該システムにより採用される一般工程を示す流れ図である。
【図７】ユーザーが色飽和のためパワー効率をドレードオフできるユーザーインターフェースを示す略図である。
【図８】標準の３色信号から変換により減法定数及び加法定数に依存する方式で４色以上のカラー表示装置を駆動するための１つの方法を示す流れ図である。
【図９】本発明の一態様による表示システムの部品を示す略図である。
【図１０】周囲照度レベルの測定に基づいて減法定数及び加法定数を決めるための１つの方法を示す流れ図である。
【符号の説明】
【００５０】
２…赤色ＯＬＥＤの輝度伝達関数
４…緑色ＯＬＥＤの輝度伝達関数
６…青色ＯＬＥＤの輝度伝達関数
８…赤色ＯＬＥＤの安定性曲線
１０…緑色ＯＬＥＤの安定性曲線
１２…青色ＯＬＥＤの安定性曲線
２０…入力装置
２２…処理装置
２４…メモリ
２６…表示ドライバ
２８…表示装置
４２…画素
４４…赤色ＯＬＥＤ
４６…緑色ＯＬＥＤ
４８…青色ＯＬＥＤ
５０…白色ＯＬＥＤ
５２…色域
５４…最大彩度の選択
５６…最大パワー効率の選択
１１２…周囲照明センサ
１１４…温度センサ
１１６…電流センサ
【図１】
2004280108.tif 000007
【図２】
2004280108.tif 000008
【図３】
2004280108.tif 000009
【図４】
2004280108.tif 000010
【図５】
2004280108.tif 000011
【図６】
2004280108.tif 000012
【図７】
2004280108.tif 000013
【図８】
2004280108.tif 000014
【図９】
2004280108.tif 000015
【図１０】
2004280108.tif 000016